(57)【要約】【課題】側方の広い範囲へ光を出射させることができる光源ユニットを提供する。【解決手段】光源ユニット１は、光源としての複数個のＬＥＤ１３と、複数個のＬＥＤ１３が配されるベース１１と、ベース１１と対向して配される光学部材１４とを備え、光学部材１４はＬＥＤ１３側に頂部を有する三角状部１４１を有すると共に頂部がＬＥＤ１３と対向する状態で設けられ、ベース１１は、ＬＥＤ１３から離れた部位に光学部材１４側に張り出す張出部１１５を有し、三角状部１４１における頂部１４４を挟む２つの面１４５は反射面であると共に張出部１１５におけるＬＥＤ１３側の面が反射面となっている。【選択図】図２
2020095857.tif 000002
【特許請求の範囲】
【請求項１】
光源としての複数個のＬＥＤと、
前記複数個のＬＥＤが配されるベースと、
前記ベースと対向して配される光学部材とを
備え、
前記光学部材は前記ＬＥＤ側に頂部を有する三角状部を有すると共に前記頂部が前記ＬＥＤと対向する状態で設けられ、
前記ベースは、前記ＬＥＤから離れた部位に前記光学部材側に張り出す張出部を有し、
前記三角状部における前記頂部を挟む２つの面は反射面であると共に前記張出部における前記ＬＥＤ側の面が反射面となっている
光源ユニット。
【請求項２】
前記ベースは、矩形長尺状を有すると共に幅方向の両端部に前記張出部を有し、
前記ＬＥＤは、その光軸が前記ベースの幅方向の中点を通る状態で、配されている
請求項１に記載の光源ユニット。
【請求項３】
前記光学部材は前記ベースの長手方向に長い長尺状をし、
前記光軸と前記光学部材における幅方向の端との距離は、前記光軸と前記張出部における張出先端との距離より小さい
請求項２に記載の光源ユニット。
【請求項４】
前記光学部材は前記ベースの長手方向に長い長尺状をし、
前記光軸と前記光学部材における幅方向の端との距離は、前記光軸と前記張出部における張出先端との距離と等しい
請求項２に記載の光源ユニット。
【請求項５】
前記光学部材は前記ベースの長手方向に長い長尺状をし、
前記光軸と前記光学部材における幅方向の端との距離は、前記光軸と前記張出部における張出先端との距離より大きい
請求項２に記載の光源ユニット。
【請求項６】
前記三角状部の前記頂部は、表裏方向において、前記ベースの前記張出部の表側端よりも裏側に位置する。
請求項２〜５の何れか１項に記載の光源ユニット。
【請求項７】
前記三角状部の前記頂部は、表裏方向において、前記ベースの前記張出部の表側端よりも表側に位置する。
請求項２〜５の何れか１項に記載の光源ユニット。
【発明の詳細な説明】
【技術分野】
【０００１】
本発明は、光源からの光を光学部材で配光制御して出射する光源ユニットに関する。
【背景技術】
【０００２】
配光制御された光を出射する光源ユニットとして、例えば、「基板上に実装された光源と、前記光源の光軸と同心に中心軸が位置するように配置され、前記光源から出射された光を入射するとともに入射した光の配光を制御して出射する光束制御部材と、を有する発光装置であって、前記光束制御部材は、底面と、前記底面の一部を内部に凹ませて形成されるとともに前記底面に開口した凹部と、前記凹部の内面であるとともに、前記光源から出射された光を入射する入射面と、前記入射面から入射した光の配光を制御して外部に光を出射する出射面とを有する」の構成が開示されている(例えば、特許文献１）。
なお、開示された技術の光束制御部材及び発光装置が、本明細書の光学部材及び光源ユニットに相当する。
【先行技術文献】
【特許文献】
【０００３】
【特許文献１】特開２０１２−６４６５４号公報
【発明の概要】
【発明が解決しようとする課題】
【０００４】
上記光源ユニットでも光源からの光が側方に向かうように配向制御されているが、使用用途によってはさらに側方へ光を出射させたい場合もある。
本発明は、側方の広い範囲へ光を出射させることができる光源ユニットを提供することを目的とする。
【課題を解決するための手段】
【０００５】
本発明に係る光源ユニットは、光源としての複数個のＬＥＤと、前記複数個のＬＥＤが配されるベースと、前記ベースと対向して配される光学部材とを備え、前記光学部材は前記ＬＥＤ側に頂部を有する三角状部を有すると共に前記頂部が前記ＬＥＤと対向する状態で設けられ、前記ベースは、前記ＬＥＤから離れた部位に前記光学部材側に張り出す張出部を有し、前記三角状部における前記頂部を挟む２つの面は反射面であると共に前記張出部における前記ＬＥＤ側の面が反射面となっている。
【発明の効果】
【０００６】
上記構成の光源ユニットによれば、側方の広い範囲へ光を出射させることができる。
【図面の簡単な説明】
【０００７】
【図１】照明装置の概略図であり、（ａ）は斜視図であり、（ｂ）は水平断面を上方から見た図である。
【図２】（ａ）は第１実施形態の光源ユニットの断面図であり、（ｂ）は、ベース、リフレクタの寸法関係を示す図である。
【図３】第１実施形態の光源ユニットの光路図であり、（ａ）はＡ＞Ｃの場合、（ｂ）はＡ＝Ｃの場合、（ｃ）はＡ＜Ｃの場合である。
【図４】（ａ）は第１実施形態の実施例１−１の配向特性図と照度分布図であり、（ｂ）は第１実施形態の実施例１−２の配向特性図と照度分布図である。
【図５】（ａ）は第２実施形態の光源ユニットの断面図であり、（ｂ）は、ベース、リフレクタの寸法関係を示す図である。
【図６】（ａ）は第２実施形態の実施例２−１の光源ユニットの光路図であり、（ｂ）は実施例２１の配向特性図である。
【図７】（ａ）は第３実施形態の光源ユニットの断面図であり、（ｂ）は、ベース、リフレクタの寸法関係を示す図である。
【図８】（ａ）は第３実施形態の実施例３−１の光源ユニットの配向特性図であり、（ｂ）は照度分布図である。
【図９】（ａ）は第３実施形態の実施例３−２の光源ユニットの配向特性図であり、（ｂ）は照度分布図である。
【発明を実施するための形態】
【０００８】
＜概要＞
実施形態の一態様に係る光源ユニットは、光源としての複数個のＬＥＤと、前記複数個のＬＥＤが配されるベースと、前記ベースと対向して配される光学部材とを備え、前記光学部材は前記ＬＥＤ側に頂部を有する三角状部を有すると共に前記頂部が前記ＬＥＤと対向する状態で設けられ、前記ベースは、前記ＬＥＤから離れた部位に前記光学部材側に張り出す張出部を有し、前記三角状部における前記頂部を挟む２つの面は反射面であると共に前記張出部における前記ＬＥＤ側の面が反射面となっている。これにより、側方の広い範囲へ光を出射させることができる。
実施形態の別態様に係る光源ユニットにおいて、前記ベースは、矩形長尺状を有すると共に幅方向の両端部に前記張出部を有し、前記ＬＥＤは、その光軸が前記ベースの幅方向の中点を通る状態で、配されている。これにより、光軸の両側で対称な光を出射することができる。
実施形態の別態様に係る光源ユニットにおいて、前記光学部材は前記ベースの長手方向に長い長尺状をし、前記光軸と前記光学部材における幅方向の端との距離は、前記光軸と前記張出部における張出先端との距離より小さい。これにより、表側にも光を出射することができる。
実施形態の別態様に係る光源ユニットにおいて、前記光学部材は前記ベースの長手方向に長い長尺状をし、前記光軸と前記光学部材における幅方向の端との距離は、前記光軸と前記張出部における張出先端との距離と等しい。これにより、側方へ光を多く出射することができる。
実施形態の別態様に係る光源ユニットにおいて、前記光学部材は前記ベースの長手方向に長い長尺状をし、前記光軸と前記光学部材における幅方向の端との距離は、前記光軸と前記張出部における張出先端との距離より大きい。これにより、側方へ光をより多く出射することができる。
実施形態の別態様に係る光源ユニットにおいて、前記三角状部の前記頂部は、表裏方向において、前記ベースの前記張出部の表側端よりも裏側に位置する。これにより、光の配向設計の自由度を高めることができる。
実施形態の別態様に係る光源ユニットにおいて、前記三角状部の前記頂部は、表裏方向において、前記ベースの前記張出部の表側端よりも表側に位置する。これにより、ＬＥＤから外部へと出射される光量を増やすことができる。
【０００９】
＜実施形態＞
１．概要
図１を用いて説明する。
光源ユニット１は冷蔵機能を有する冷ケース２内に設けられている。一例である冷ケース２は、前面にガラス扉３を開閉自在に備えるケース本体４内に、上下に間隔をおいて配された複数枚の陳列棚５を備える。
ガラス扉３は、ここでは３個あり、ケース本体４の前側の支柱６に対して上下方向の軸回りに設けられている。光源ユニット１は支柱６の裏側に設けられ、支柱６に沿う長尺状をしている。
【００１０】
２．光源ユニット
光源ユニット１は、図２の（ａ）に示すように、ベース１１と、ベース１１に長手方向に沿って設けられる基板１２と、基板１２に対して長手方向に間隔をおいて配された複数個のＬＥＤ１３と、ＬＥＤ１３から出射された光の配向を制御するリフレクタ１４と、ベース１１に取り付けられ且つリフレクタ１４を支持する長尺筒状のカバー１５と、カバー１５内に収容された点灯回路１６とを備える。なお、複数個のＬＥＤ１３と基板１２とで光源モジュール１７が構成される。
光源ユニット１は、リフレクタ１４とベース１１との間の出射口１０からＬＥＤ１３から出射された光を外部へと出射する。リフレクタ１４は本発明の光学部材の一例に相当する。
ここで、光の出射方向を表側とし、表裏方向はＬＥＤ１３の光軸Ｘの延伸方向と一致する。光軸Ｘと直交する方向を幅方向とする。なお、幅方向は長手方向とも直交し、短手方向や左右方向ともいう。
【００１１】
（１）ベース
ベース１１は、長尺状の光源ユニット１の長手方向に長い矩形長尺状をしている。ベース１１は幅方向の中央の表面に光源モジュール１７を搭載する。ベース１１は、幅方向（短手方向）の中点をＬＥＤ１３の光軸が通過するように光源モジュール１７を支持する。
ベース１１の表面は、ＬＥＤ１３から出射された光やリフレクタ１４で反射した光を反射する反射面となっている。
ベース１１は、中央に光源モジュール１７用の凹入部１１１と、凹入部１１１に対して幅方向の両側に設けられた平坦部１１３と、平坦部１１３の幅方向の両端から幅方向に離れるにしたがって表側に張り出す張出部１１５とを有する。少なくとも平坦部１１３と張出部１１５の表面は反射面１１７となっている。
張出部１１５はベース１１の幅方向の両端部に設けられている。張出部１１５は長手方向と直交する横断面において裏側が凸の放物線状に張り出し、幅方向の端部は表裏方向に延びる平坦面となっている。張出部１１５の表面は波状をしている。つまり、張出部１１５の表面は、リフレクタ１４側に膨らむ凸条部分１１９を幅方向に複数個（ここでは３個）有している。凸条部分１１９は、ＬＥＤ１３から出射され、リフレクタ１４で反射した光を光源ユニット１の出射口１０に向けて反射するように構成されている。
【００１２】
（２）カバー
カバー１５は透光性の樹脂材料から構成されている。カバー１５は筒状、ここでは、円筒状をしている。カバー１５は、光源モジュール１７を搭載するベース１１、リフレクタ１４、点灯回路１６とを収容する。カバー１５の内周面は、ベース１１やリフレクタ１４の幅方向の端部と当接又は近接する。これにより、ベース１１やリフレクタ１４を支持する。カバー１５の内周面は、点灯回路１６の回路ケース１６１の裏面に当接する又は近接する。これにより、点灯回路１６を支持する。
尚、図２（a）では、全周からなるカバー１５を示したが、カバー１５の中心線から上側をカバー１５とし（断面が半円形状のカバー１５）、下側をアルミ製のヒートシンク（断面が半円形状のヒートシンク）で構成してもよい。
【００１３】
（３）リフレクタ
リフレクタ１４はベース１１の長手方向に沿った長尺状をしている。ここでは、リフレクタ１４の横断面形状は長手方向に沿って一定に構成されている。なお、以下、リフレクタ１４の形状の説明は、横断面における形状を指すことが多い。
リフレクタ１４は、ＬＥＤ１３の主出射側である表側に対向する状態で配されている。
リフレクタ１４は、横断面において、裏側に頂角１４４を有する三角形又は三角形に似た形状をする三角状部１４１を有する。
三角状部１４１は、ＬＥＤ１３と対向する頂角１４４を挟む２つの辺１４５が同じ長さの二等辺三角形に近い形状をしている。頂角１４４に存在する頂点（裏側端）はＬＥＤ１３の光軸Ｘ上に位置する。リフレクタ１４は光軸Ｘに対して幅方向に対称な形状をしている。
頂角１４４を挟む２つの辺１４５は、表側に凸の放物線のように湾曲している。凸の放物線の頂点は、頂角１４４よりも表側であって幅方向の外方側に存在する。辺１４５の接線は、頂角１４４から離れるにしたがって光軸との角度が徐々に大きくなるように構成されている。
【００１４】
左右の辺１４５により構成される面は反射面となっており、ＬＥＤ１３から出射された光を、頂角１４４に近い頂角側領域ではベース１１の平坦部１１３に向けて、幅方向の端部に近い端側領域ではベース１１の幅方向の外部に向けて、頂角側領域と端側領域との間の中間領域ではベース１１の張出部１１５に向けて反射する。
つまり、辺１４５は、ＬＥＤ１３から出射した光の一部又は全部をベース１１の表面とで反射させて出射口１０から出射させたり、ＬＥＤ１３から出射した光の一部又は全部を反射させて出射口１０から出射させたりする。
なお、リフレクタ１４は、少なくとも、三角状部１４１における裏側の面（リフレクタ１４としては表面）に反射膜を有する。反射膜は、メッキ膜、蒸着メッキ膜等により構成されている。
【００１５】
３．リフレクタとベースとの位置
図２の（ｂ）に示すように、ＬＥＤ１３をベース１１の幅方向の中心上に配置し、ベース１１の張出部１１５の幅方向の外面間の寸法を「Ａ」とし、表裏方向におけるＬＥＤ１３の表面とベース１１の張出部１１５の表側端との距離を「Ｂ」とする。リフレクタ１４の幅方向の寸法を「Ｃ」とし、ＬＥＤ１３とリフレクタ１４との最短距離（間隔）を「Ｄ」とし、リフレクタ１４における表裏方向の寸法を「Ｅ」とし、リフレクタ１４とベース１１との間に形成されている出射口１０の最小距離を「Ｆ」とする。
なお、Ｃ／２は、ＬＥＤ１３の光軸とリフレクタ１４の幅方向の端との距離に相当し、Ａ／２は、ＬＥＤ１３の光軸とベース１１の張出部１１５の表側端との距離に相当する。
【００１６】
リフレクタ１４の幅の寸法Ｃはベース１１の幅方向の寸法Ａよりも小さく構成されている。これにより、リフレクタ１４の表側にも光を出射できる。
ベース１１の張出部１１５の表側端部はＬＥＤ１３の表面よりも表側に位置する。具体的には、ベース１１の張出部１１５の表側端部とＬＥＤ１３との距離Ｂは、正（Ｂ＞０）となっている。
【００１７】
ＬＥＤ１３の表面であって光軸と通過する部位と、ベース１１の張出部１１５の表側端部とを結ぶ線分と、ＬＥＤ１３の表面との間の角度Ｇは、４°以上が好ましく、７°以上がより好ましい。これにより、ＬＥＤ１３から側方（幅方向）に出射された光をリフレクタ１４に向けて確実に反射させることができる。
ＬＥＤ１３の表面であって光軸と通過する部位とリフレクタ１４の幅方向の端部とを結ぶ線分と、ＬＥＤ１３の表面との間の角度Ｊは、１／２ビーム角の半分よりも小さい。例えば、１／２ビーム角が１２０°の場合、角度Ｊは５０°以下が好ましく、４０°以下がより好ましい。
【００１８】
出射口１０の寸法Ｆは、リフレクタ１４(三角状部１４１）の表裏方向の寸法Ｅに対して、０．７〜１．３倍が好ましく、１．８〜１．２倍が好ましい。これにより、配向調整の自由度を高めることができる。
なお、出射口１０におけるＬＥＤ１３の表面であって光軸と通過する部位を基準とした角度、つまり、角度Ｊと角度Ｇとの差は、１５〜４０°が好ましく、２０〜３５°がより好ましい。
【００１９】
リフレクタ１４とＬＥＤ１３との距離Ｄは、１ｍｍ以下が好ましく、０．３ｍｍ以下がより好ましい。これにより、ＬＥＤ１３から出射される光であってＬＥＤ１３の表面とリフレクタ１４との隙間を通過する光を少なくできる。これにより、ＬＥＤ１３から出射された光が、出射した部位と対向するリフレクタ１４に向かうこととなり、配向調整が容易となる。
【００２０】
４．光路図
リフレクタ１４とベース１１との大きさにより所望の配向特性が得られる。以下、３種類のリフレクタ１４とベース１１を用いた場合の光路について図３を用いて説明する。
図３中の光路はシミュレーション結果であり、ＬＥＤの中央と幅方向の端の２点から光が出されている。
【００２１】
（１）Ａ＞Ｃの場合
図３の（ａ）を用いて説明する。
（１−１）中央
ＬＥＤの中央から出射された光の多くは、リフレクタ１４に向かって進行し、リフレクタ１４で反射する。
リフレクタ１４で反射した光は、ＬＥＤ１３の中央とリフレクタ１４の端とを結ぶ仮想線よりも側方側に向かって外部へと出射される。
ＬＥＤ１３の中央から出射されて光であって出射口に直接向かう光は、そのまま外部へと出射される。
なお、ＬＥＤ１３の中央から出射された光であってベース１１の膨出部１１５に直接向かう光は、リフレクタ１４や出射口１０に向かう光よりも少ない。
【００２２】
（１−２）端
ＬＥＤ１３の端から出射された光のうち、リフレクタ１４に直接むかった光は、リフレクタ１４で反射ししてベース１１の膨出部１１５に向かうものがある。この光は、膨出部１１５でリフレクタ１４又は外部に向けて反射される。リフレクタ１４に向かう光はリフレクタ１４で反射して外部へと出射される。外部に向かう光は、光軸に近づくように表側へと出射される。
また、ＬＥＤ１３の端から出射された光のうち、リフレクタ１４側に向かう光は、リフレクタ１４で側方に向けて反射されて出射口１０から外部へと出射されるものもある。
ＬＥＤ１３の端から出射された光であって出射口１０に直接向かう光は、そのまま外部へと出射される。
なお、ＬＥＤ１３の端から出射された光であってベース１１の膨出部１１５に直接向かう光は、リフレクタ１４や出射口１０に向かう光よりも少ない。
【００２３】
（２）Ａ＝Ｃ
図３の（ｂ）を用いて説明する。
（２−１）中央
ＬＥＤ１３の中央から出射された光の多くは、（１）Ａ＞Ｃの場合と同様に、リフレクタ１４に向かって進行して、リフレクタ１４でＬＥＤ１３の中央とリフレクタ１４の端とを結ぶ仮想線よりも側方側に向けて反射されて外部へと出射される。
ＬＥＤ１３の中央から出射された光であって出射口１０に直接向かう光は、（１）Ａ＞Ｃの場合と同様に、そのまま外部へと出射される。
なお、ＬＥＤ１３の中央から出射された光であってベース１１の膨出部１１５に直接向かう光は、（１）Ａ＞Ｃの場合よりも多くはなるが、もともとリフレクタ１４や出射口１０に向かう光よりも少ない。
【００２４】
（２−２）端
ＬＥＤ１３の端から出射されて膨出部１１５に向かう光は、膨出部１１５でリフレクタ１４又は外部に向けて反射される。リフレクタ１４に向かう光は、リフレクタ１４とベース１１との間で反射して外部へと出射される場合（裏側に向かう光もある）もある。外部に向かう光は、光軸に近づくように表側へと出射される。
ＬＥＤ１３の端から出射された光のうち、リフレクタ１４に向かう光は、（１）Ａ＞Ｃの場合と同様に、リフレクタ１４で側方に向けて反射されて出射口から外部へと出射される。
ＬＥＤ１３の端から出射された光であって出射口１０に直接向かう光は、（１）Ａ＞Ｃの場合と同様に、そのまま外部へと出射される。
なお、ＬＥＤ１３の端から出射された光であってベース１１の膨出部に直接向かう光は、（１）Ａ＞Ｃの場合より多くなるが、リフレクタ１４や出射口１０に向かう光よりも少ない。
【００２５】
（３）Ａ＜Ｃ
図３の（ｃ）を用いて説明する。
（３−１）中央
ＬＥＤ１３の中央から出射された光の多くは、（１）Ａ＞Ｃの場合や（２）Ａ＝Ｃと同様に、リフレクタ１４に向かって進行して、リフレクタ１４でＬＥＤ１３の中央とリフレクタ１４の端とを結ぶ仮想線よりも側方側に向けて反射されて外部へと出射される。
ＬＥＤ１３の中央から出射された光であって出射口１０に直接向かう光は、（１）Ａ＞Ｃの場合や（２）Ａ＝Ｃの場合と同様に、そのまま外部へと出射される。
なお、ＬＥＤ１３の中央から出射された光であってベース１１の膨出部１１５に直接向かう光は、（２）Ａ＝Ｃの場合よりも多くはなるが、もともとリフレクタ１４や出射口１０に向かう光よりも少ない。
【００２６】
（３−２）端
ＬＥＤ１３の端から出射された光のうち、（１）Ａ＞Ｃの場合や（２）Ａ＝Ｃの場合と同様に、リフレクタ１４で反射ししてベース１１の膨出部１１５に向かう。なお、この光は、（２）Ａ＝Ｃの場合より少ない。膨出部１１５に向かう光は、膨出部１１５でリフレクタ１４又は外部に向けて反射される。リフレクタ１４に向かう光は、リフレクタ１４で反射して裏側に向かって外部へと出射される場合もある。
ＬＥＤ１３の端から出射された光のうち、リフレクタ１４に向かう光は、（１）Ａ＞Ｃの場合や（２）Ａ＝Ｃと同様に、リフレクタ１４で側方に向けて反射されて出射口から外部へと出射される。
ＬＥＤ１３の端から出射された光であって出射口に直接向かう光は、（１）Ａ＞Ｃの場合や（２）Ａ＝Ｃの場合と同様に、そのまま外部へと出射される。
なお、ＬＥＤ１３の端から出射された光であってベース１１の膨出部１１５に直接向かう光は、（２）Ａ＝Ｃの場合より多くなるが、リフレクタ１４や出射口１０に向かう光よりも少ない。
【００２７】
５．配向特性
図４を用いて、配向特性と照度分布について説明する。
配向特性は、ＬＥＤ１３における光軸に近い中央位置と光軸から幅方向に離れた端位置の２点から光が出射する場合のシミュレーション結果である。照度分布は、ＬＥＤ１３の表面からの距離が１００（ｍｍ）の被照射面を照射した場合の照射分布のシミュレーション結果である。図４の（ａ）及び（ｂ）に示している照度比率は、被照射面におけるＬＥＤ１３の光軸と交差する点を基準（０ｍｍ）として、当該基準から離された位置の照度を示している。なお、照度比率のグラフ中の数字（例えば「２００」である）の単位は「ｍｍ」である。
シミュレーションに用いた光源ユニット１は、図２に示すユニットである。より具体的には、図２の（ｂ）に示すように、ベース１１の幅方向の寸法Ａが２８ｍｍ、ＬＥＤ１３の表面とベース１１の張出部１１５との距離Ｂが１．６ｍｍ、リフレクタ１４の幅方向の寸法Ｃが２２ｍｍであり、ＬＥＤ１３とリフレクタ１４との距離Ｄ０．３ｍｍであり、リフレクタ１４の表裏方向の寸法Ｅが７．４ｍｍであり、出射口１０の最小距離Ｆは６．３ｍｍである。
なお、図３の（ａ）の光路図の解析モデルは、ここで説明した光源ユニットと同じである。
【００２８】
（１）実施例１−１
実施例１−１に係る光源ユニット１は、クリアータイプのカバー１５を有する。ベース１１の表面及びリフレクタ１４の表面はアルミ蒸着により反射面に構成されている。
光源ユニット１は、ベース１１の幅方向の寸法Ａがリフレクタ１４の幅方向の寸法Ｃよりも大きい。これにより、図４の（ａ）の配向特性図に示すように、光軸上の表側に向かう光を確保でき、表側側方(斜め方向）に向かう光を多く確保できる。
実施例１−１の光源ユニット１の配向特性は、図４の（ａ）に示すように、１２０〜１８０°までの側方の広い範囲で光度（例えば最大光度の１／２である）を確保でき、これにより、光軸から２００ｍｍ離れた被正面での照度が周辺の照度よりも高くなっている。なお、最大光度角は１６４°であり、１／２ビーム角は１８０°である。
このように、実施例１−１の光源ユニット１によれば、側方の広い範囲に光を出射でき、例えば図１の（ｂ）に示すような冷ケース２の場合、１／２ビーム角が１５０（°）以上あればよく、光源ユニット１を適用できる冷ケース２の仕様（タイプ）が増え、汎用性の高いものとなる。
【００２９】
（２）実施例１−２
実施例１−２に係る光源ユニット１は、クリアータイプのカバー１５を有する。ベース１１の表面は白塗料により反射面に構成され、リフレクタ１４の表面はアルミ蒸着により反射面に構成されている。
光源ユニット１は、ベースの幅方向の寸法Ａがリフレクタの幅方向の寸法Ｃよりも大きい。これにより、図４の（ｂ）の配向特性図に示すように、光軸上の表側に向かう光を確保でき、表側側方(斜め方向）に向かう光を多く確保できる。
実施例１−２の光源ユニット１の配向特性は、図４の（ｂ）に示すように、１２０〜１８０°までの側方の広い範囲で光度（例えば最大光度の１／２）を確保でき、これにより、光軸から２００ｍｍ離れた被正面での照度が周辺の照度よりも高くなっている。なお、最大光度角は１６７°であり、１／２ビーム角は１７８°である。
このように、実施例１−２の光源ユニット１によれば、側方の広い範囲に光を出射でき、光源ユニット１を適用できる冷ケース２の仕様（タイプ）が増え、汎用性の高いものとなる。
【００３０】
＜第２実施形態＞
１．光源ユニット
光源ユニット１００１は、図５の（ａ）に示すように、支柱６（図１参照）に取り付けられる長尺状のベース１０１１と、ベース１０１１に長手方向に沿って設けられる基板１０１２と、基板１０１２に対して長手方向に間隔をおいて配された複数個のＬＥＤ１０１３と、ＬＥＤ１０１３から出射された光の配向を制御するリフレクタ１０１４と、ベース１０１１に取り付けられ且つリフレクタ１０１４を支持するカバー１０１５とを備える。
複数個のＬＥＤ１０１３と基板１０１２とで光源モジュール１０１７が構成される。リフレクタ１０１４は本発明の光学部材の一例に相当する。
【００３１】
（１）ベース
ベース１０１１は、中央に光源モジュール１０１７用の凹入部１１１１と、凹入部１１１１に対して幅方向の両側に設けられた平坦部１１１３と、平坦部１１１３の幅方向の両端から幅方向に離れるにしたがって表側に張り出す張出部１１１５と、張出部１１１５の裏側端から幅方向に延伸する裏延伸部１１１７とを有する。
ベース１０１１における少なくとも平坦部１１１３と張出部１１１５との表面は反射面となっている。
凹入部１１１１、平坦部１１１３及び張出部１１１５は、第１実施形態の凹入部１１１、平坦部１１３と張出部１１５と略同じ構成であり、ここでの説明を省略する。張出部１１１５の外面の平坦面はカバー１５の縦延伸部１１５３の内面に当接する。
【００３２】
（２）カバー
カバー１０１５は透光性の樹脂材料から構成されている。カバー１０１５は、長手方向から見ると、角部分が丸くなった逆「Ｕ」字状をしている。カバー１０１５は、幅方向に延伸する横延伸部１１５１と、表裏方向に延伸する一対の縦延伸部１１５３と、横延伸部１１５１の幅方向の端部と一対の縦延伸部１１５３の表側端とを円弧状に連結する円弧部１１５５とを有する。なお、横延伸部１１５１の「横」と縦延伸部１１５３の「縦」は、延伸部１１５１，１１５３を区別するために便宜上付している。
横延伸部１１５１の裏面（内面）にはリフレクタ１０１４が取付けられている。一対の縦延伸部１１５３の裏側部分はベース１０１１の張出部１１１５の外面に当接し、一対の縦延伸部１１５３の裏側端は裏延伸部１１１７に当接する。
尚、縦延伸部１１５３とベース１０１１との当接部分は接着剤、シリコン等で接着してもよい。
【００３３】
（３）リフレクタ
リフレクタ１０１４はベース１０１１の長手方向に長い形状をしている。ここでのリフレクタ１０１４は、長手方向と直交する横断面の形状が長手方向に沿って一定に構成されている。リフレクタ１０１４は、ＬＥＤ１０１３の主出射側である表側に対向する状態で配されている。
リフレクタ１０１４は、横断面において、裏側に頂角を有する三角形又は三角形に似た形状の三角状部１１４１を有する。ここでのリフレクタ１０１４は、三角状部１１４１の底辺側（表側）に矩形状部１１４３を有し、当該矩形状部１１４３の表面がカバー１０１５に取り付けられている。三角状部１１４１は第１実施形態のリフレクタ１４と略同じ構成であり、ここでの説明を省略する。
尚、矩形状部１１４３とカバー１０１５との当接部分は接着剤、シリコン等で接着してもよい。
【００３４】
２．光路及び配向特性
図６を用いて、光路及び配向特性について説明する。
光路及び配向特性は、第１実施形態と同様に、ＬＥＤにおける光軸上の中央位置と光軸から幅方向に離れた端位置の２点から光が出射する場合のシミュレーション結果である。
シミュレーションに用いた光源ユニット１００１は、図５の（ａ）に示すユニットである。より具体的には、図５の（ｂ）において、ベース１０１１の幅方向の寸法Ａが２８ｍｍ、ＬＥＤ１０１３の表面とベース１０１１の張出部１１１５との距離Ｂが３．７ｍｍ、リフレクタ１０１４の幅方向の寸法Ｃが１６ｍｍであり、ＬＥＤ１０１３とリフレクタ１０１４との距離がＤ１．５ｍｍであり、リフレクタ１０１４（三角状部１１４１）の表裏方向の寸法Ｅが６．５ｍｍであり、出射口１０１０の最小距離Ｆは７ｍｍである。
【００３５】
（１）実施例２−１
実施例２−１に係る光源ユニット１００１は、クリアータイプのカバー１０１５を有する。ベース１０１１の表面及びリフレクタ１０１４の表面はアルミ蒸着により反射面に構成されている。
光源ユニット１００１は、ベース１０１１の幅方向の寸法Ａがリフレクタ１０１４の幅方向の寸法Ｃよりも大きい。これにより、図６の（ｂ）の配向特性図に示すように、光軸上の表側に向かう光を確保でき（図６の（ａ）参照）、表側側方(斜め方向）に向かう光も確保できる。
実施例２−１の光源ユニット１００１の配向特性は、１１０〜１８０°までの側方の広い範囲で光度（例えば最大光度の１／２）を確保できる。なお、最大光度角は１４５°であり、１／２ビーム角は１８７°である。
このように、実施例２１の光源ユニット１００１によれば、側方の広い範囲に光を出射でき、光源ユニット１００１を適用できる冷ケース２の仕様（タイプ）が増え、汎用性の高いものとなる。
【００３６】
＜第３実施形態＞
１．光源ユニット
光源ユニット２００１は、図７の（ａ）に示すように、支柱６（図１参照）に取り付けられる長尺状のベース２０１１と、ベース２０１１に長手方向に沿って設けられる基板２０１２と、基板２０１２に対して長手方向に間隔をおいて配された複数個のＬＥＤ２０１３と、ＬＥＤ２０１３から出射された光の配向を制御するリフレクタ２０１４と、ベース２０１１に取り付けられ且つリフレクタ２０１４を支持するカバー２０１５とを備える。
複数個のＬＥＤ２０１３と基板２０１２とで光源モジュール２０１７が構成される。リフレクタ２０１４は本発明の光学部材の一例に相当する。
【００３７】
（１）ベース
ベース２０１１は、第２実施形態と同様に、凹入部２１１１と、平坦部２１１３と、張出部２１１５と、裏延伸部２１１７とを有する。少なくとも平坦部２１１３と張出部２１１５との表面は反射面となっている。
凹入部２１１１は、第１実施形態の凹入部１１１及び第２実施形態の凹入部１１１１より深く構成されている。つまり、凹入部２１１１は、基板２０１２の表面が平坦部２１１３の表面よりも裏側であってＬＥＤ２０１３の表面が平坦部２１１３の表面よりも表側に位置するように、設けられている。
張出部２１１５は、第１実施形態の張出部１１５及び第２実施形態の張出部１１１５よりも張り出し量が少なく（低く）構成されている。つまり、張出部２１１５の張出先端は、ＬＥＤ２０１３の表面よりも表側に位置する。張出部２１１５はリフレクタ２０１４の頂部分２０１４ａよりも裏側に位置する。換言すると、張出部２１１５の張出先端は、表裏方向において、ＬＥＤ２０１３の表面と、リフレクタの頂部分との間に位置する。
張出部２１１５の幅方向の両端間の寸法Ａはリフレクタ２０１４の幅方向の寸法Ｃよりも大きく、張出部２１１５の内側端（張り出しはじめの位置）間の寸法Ａ２は、リフレクタ２０１４の幅方向寸法Ｃより小さい。つまり、リフレクタ２０１４の幅方向の端は、幅方向において、ベース２０１１の張出部２１１５の内側端と外側端との間に位置する。
【００３８】
（２）カバー
カバー２０１５は透光性の樹脂材料から構成されている。カバー２０１５は、長手方向から見ると、角部分が丸くなった「コ」字状をしている。なお、カバー２０１５の角部分は、第２実施形態のカバー１０１５に比べると、半径は小さい。
カバー２０１５は、第２実施形態と同様に、横延伸部２１５１と、一対の縦延伸部２１５３と、円弧部２１５５とを有する。横延伸部２１５１の裏面にはリフレクタ２０１４を取付けるための溝２１５７が形成され、当該溝２１５７にリフレクタ２０１４の凸部２１４５が嵌合する。
尚、溝２１５７と凸部２１４５との嵌合部分を接着剤、シリコン等で接着してもよい。
【００３９】
（３）リフレクタ
リフレクタ２０１４は、第２実施形態と同様に、ベース２０１１の長手方向に長い形状をしている。ここでのリフレクタ２０１４は、長手方向と直交する断面（横断面とする）の形状が長手方向に沿って一定に構成されている。リフレクタ２０１４は、ＬＥＤ２０１３の主出射側である表側に対向する状態で配されている。
リフレクタ２０１４は、横断面において、裏側に頂角を有する三角形又は三角形に似た形状を資する三角状部２１４１を有する。ここでのリフレクタ２０１４は、三角状部２１４１の底辺側（表側）に矩形状部２１４３と凸部２１４５とを有し、矩形状部２１４３とカバー２０１５の横延伸部２１５１とが当接する状態で凸部２１４５がカバー２０１５の溝２１５７に嵌合して、リフレクタ２０１４がカバー２０１５に装着される。
なお、三角状部２１４１は、第２実施形態のリフレクタ１０１４と略同じ構成であり、ここでの説明を省略する。
【００４０】
２．光路及び配向特性
図８及び図９を用いて配向特性と照度分布について説明する。
光路及び配向特性は、第１実施形態や第２実施形態と同様に、ＬＥＤにおける光軸上の中央位置と光軸から幅方向に離れた端位置の２点から光が出射する場合のシミュレーション結果である。
シミュレーションに用いた光源ユニット２００１は、図７に示すユニットである。より具体的には、図７の（ｂ）において、ベース２０１１（張出部２１１５）の幅方向の寸法Ａが３２ｍｍ、張出部２１１５の張り出しはじめの位置間の幅方向の寸法Ａ２が２７．１５ｍｍ、ＬＥＤ２０１３の表面とベース２０１１の張出部２１１５との距離Ｂが０．１ｍｍ、リフレクタ２０１４の幅方向の寸法Ｃが２８ｍｍであり、ＬＥＤ２０１３とリフレクタ２０１４との距離Ｄが０．５ｍｍであり、リフレクタ２０１４の表裏方向の寸法Ｅが８．３ｍｍであり、出射口２０１０の最小距離Ｆは８．１ｍｍである。
【００４１】
（１）実施例３−１
実施例３−１に係る光源ユニット２００１はクリアータイプのカバー２０１５を有する。ベース２０１１の表面及びリフレクタ２０１４の表面はアルミ蒸着により反射面に構成されている。
光源ユニット２００１は、ベース２０１１の幅方向の寸法Ａがリフレクタ２０１４の幅方向の寸法Ｃよりも大きい。これにより、図８の（ａ）の配向特性図に示すように、表側側方(斜め方向）に向かう光を多くできる。
実施例３−１の光源ユニット２００１の配向特性は、図８の（ａ）に示すように、１３０〜１８０°までの側方の広い範囲で光度（例えば最大光度の１／２）を確保でき、これにより、光軸から２００ｍｍ離れた被正面での照度が周辺の照度よりも高くできる。なお、最大光度角は１６８°であり、１／２ビーム角は１８０°である。
このように、実施例３１の光源ユニット１によれば、側方の広い範囲に光を出射でき、光源ユニット１を適用できる冷ケース２の仕様（タイプ）が増え、汎用性の高いものとなる。
【００４２】
（２）実施例３−２
実施例３−２に係る光源ユニット２００１は乳白色タイプのカバー２０１５を有する。それ以外の構成は、実施例３−１と同じである。
実施例３−２の光源ユニット２００１の配向特性は、図９の（ａ）に示すように、１２０〜１８０°までの側方の広い範囲で光度（例えば最大光度の１／２）を確保でき、これにより、光軸から１００ｍｍ離れた被正面での照度が周辺の照度よりも高くできる。なお、最大光度角は１３６°であり、１／２ビーム角は１７０°である。
このように、実施例３２の光源ユニット１によれば、側方の広い範囲に光を出射でき、光源ユニット１を適用できる冷ケース２の仕様（タイプ）が増え、汎用性の高いものとなる。
【００４３】
以上、実施形態を説明したが、本発明はこの実施形態に限られるものではなく、また、実施形態に記載していていない例や、要旨を逸脱しない範囲の設計変更があっても本発明に含まれる。
【符号の説明】
【００４４】
１    光源ユニット
１１    ベース光学部材
１３    ＬＥＤ
１４    リフレクタ
１５    カバー
【図１】
2020095857.tif 000003
【図２】
2020095857.tif 000004
【図３】
2020095857.tif 000005
【図４】
2020095857.tif 000006
【図５】
2020095857.tif 000007
【図６】
2020095857.tif 000008
【図７】
2020095857.tif 000009
【図８】
2020095857.tif 000010
【図９】
2020095857.tif 000011